(57)【特許請求の範囲】
【請求項１】
画像データを記憶するメモリと、
前記メモリに記憶された画像データを出力させる出力手段と、
前記出力手段の動作を制御する制御手段と、
画像データに対応する暗証コードを記憶する暗証コード記憶手段と、
情報を入力するための入力手段と、
操作者の有無を検出する操作者検知手段とを含み、
前記制御手段は、前記出力手段に、前記メモリに記憶された或る画像データを出力させた後に、当該或る画像データを再度出力させる旨の命令である再出力命令を受信した場合、
前記或る画像データを出力させてから前記操作者検知手段が継続して操作者が有ることを検出している場合には、前記再出力命令の受信に応じて、前記出力手段に前記或る画像データを再度出力させる第１のモードで動作し、
前記或る画像データを出力させてから前記操作者検知手段が操作者の無いことを検出している場合には、前記入力手段に、前記暗証コード記憶手段に記憶されている前記或る画像データに対応する暗証コードが入力されたことを条件として、前記出力手段に前記或る画像データを再度出力させる第２のモードで動作する、画像データ出力装置。
【請求項２】
前記暗証コードは、操作者が設定できる、請求項１に記載の画像データ出力装置。
【請求項３】
メモリに記憶された画像データの出力方法であって、
前記メモリに記憶された或る画像データを出力させた後に、当該或る画像データを再度出力させる旨の命令である再出力命令を受信した場合、
前記或る画像データを出力させてから継続して操作者の有ることが検出されているときは、前記再出力命令の受信に応じて、前記或る画像データを再度出力させ、
前記或る画像データを出力させてから操作者の無いことが検出されたときは、前記或る画像データに対応する暗証コードが入力されたことを条件として、前記或る画像データを再度出力させる、画像データの出力方法。
【請求項４】
前記暗証コードは、操作者によって設定される、請求項３に記載の画像データの出力方法。
【発明の詳細な説明】
【０００１】
【発明の属する技術分野】
本発明は、画像データ出力装置および画像データの出力方法に関し、特に、一度出力し装置内に記憶した画像データを、機密性を保持しつつより容易な制御方法で再度出力する、画像データ出力装置および画像データの出力方法に関する。
【０００２】
【従来の技術および発明が解決しようとする課題】
画像データ出力装置には、スキャナ等によって取込んだ画像データを、画像として出力するプリンタや、画像データのまま他の装置に出力するファクシミリがある。また、従来の画像データ出力装置として、汎用されているプリンティングシステムを挙げることができる。従来のプリンティングシステムでは、ハードディスクやＤＲＡＭのようなメモリに、一旦画像データを記憶させてから、画像処理を実行し、プリントアウトしている。なお、メモリへの画像データの記憶は、イメージスキャナまたはパーソナルコンピュータ等のリソースから画像データを取込んで、当該画像データを、ハードディスクに書込んだ後または直接、ＤＲＡＭに書込むことにより、行なわれる。そして、ＤＲＡＭから読み出した画像データの画像処理が実行された後、プリントアウトや、ファクシミリなどの他の装置への画像データの伝送等により、画像データの出力が行なわれる。
【０００３】
一度出力した画像データは、ＤＲＡＭやハードディスクに保持され、操作者の再出力要求等に応じて、メモリから再度画像データを読出して出力するメモリリコール機能を有している。そして、このような画像データ出力装置に対して、記憶された画像データを、特定の人のみが再出力させられるように、つまり、機密性を保持させるように、扱うための検討が種々なされてきた。
【０００４】
機密性を保持させるような機能を有する画像データ出力装置の従来例を、具体的に説明する。
【０００５】
まず、第１の従来例としては、特開平７−９５３７３号公報に開示された画像形成装置を挙げることができる。この画像形成装置では、画像の読込み時に暗証番号を入力することができる。これにより、当該画像についての画像データとプリントモードが、暗証番号とセットで記憶される。そして、当該暗証番号を入力することにより、任意のときに、当該暗証番号とセットで記憶されている画像データを、セットで記憶されているプリントモードで、出力させることができる。
【０００６】
このような画像形成装置では、画像データの出力に暗証番号の入力が条件とされるため、記憶された画像データが第三者によって勝手に出力されることを回避できる。つまり、記憶された画像データの機密性を保持することができる。
【０００７】
しかしながら、このような画像形成装置では、画像データを出力させる場合には、その都度、暗証番号の入力が必要とされるため、試し刷りをした後のプリント作業等、直前に読込ませた画像を繰り返しプリントさせる場合には、非常に操作性が悪いという問題があった。
【０００８】
次に、第２の従来例としては、特開平７−２２１９４９号公報に開示された画像形成装置を挙げることができる。この画像形成装置では、操作者の有無を検知できる人体検知センサが備えられており、当該人体検知センサからの非検知信号に連動して、記憶されている画像データを消去する制御が実行される。
【０００９】
また、第３の従来例としては、特開平９−２８４５１８号公報に開示された画像形成装置を挙げることができる。この画像形成装置では、所定の操作の実行、または、複写動作の実行からの所定時間の経過により、記憶された画像データが消去される。
【００１０】
これらの、第２，第３の従来例として挙げた画像形成装置では、記憶された画像データが消去されることにより、記憶された画像データが第三者によって勝手に出力されることを回避できる。つまり、記憶された画像データの機密性を保持することができる。
【００１１】
しかしながら、これらの画像形成装置では、画像データが消去されてしまうため、消去後に、再度、当該画像データを出力させたい場合には、その都度、画像データを記憶させる操作が必要とされ、利便性に欠けるという問題があった。
【００１２】
つまり、従来の画像データ出力装置では、記憶させた画像データの機密性を保持させようとした場合には、操作性や利便性に欠けるという問題が生じていた。
【００１３】
本発明は、かかる実情に鑑み考え出されたものであり、その目的は、装置内に記憶した画像データを、機密性を保持しつつより容易な制御方法で再度出力させることができる画像データ出力装置および画像データ出力方法を提供することである。
【００１４】
【課題を解決するための手段】
請求項１に記載の本発明にかかる画像データ出力装置は、画像データを記憶するメモリと、前記メモリに記憶された画像データを出力させる出力手段と、前記出力手段の動作を制御する制御手段と、画像データに対応する暗証コードを記憶する暗証コード記憶手段と、情報を入力するための入力手段と、操作者の有無を検出する操作者検知手段とを含み、前記制御手段は、前記出力手段に、前記メモリに記憶された或る画像データを出力させた後に、当該或る画像データを再度出力させる旨の命令である再出力命令を受信した場合、前記或る画像データを出力させてから前記操作者検知手段が継続して操作者が有ることを検出している場合には、前記再出力命令の受信に応じて、前記出力手段に前記或る画像データを再度出力させる第１のモードで動作し、前記或る画像データを出力させてから前記操作者検知手段が操作者の無いことを検出している場合には、前記入力手段に、前記暗証コード記憶手段に記憶されている前記或る画像データに対応する暗証コードが入力されたことを条件として、前記出力手段に前記或る画像データを再度出力させる第２のモードで動作することを特徴とする。
【００１８】
請求項１に記載の発明によると、或る画像データの出力後、継続して操作者が検知されていれば、暗証コードを入力することなく、当該画像データを再出力させることができる。なお、当該画像データの出力後、一度でも操作者が無いことが検出されている場合には、当該画像データの再出力に対して、暗証コードの入力が必要となる。つまり、基本的には、画像データの再出力には暗証コードの入力が必要とされる一方で、画像データの機密性を保持できると考えられる場合には、操作者は、再出力に際して暗証コードの入力という煩雑な作業を要求されない。なお、ここでいう画像データの機密性が保持できると考えられる場合とは、同一の操作者が装置に対して操作を行なっていると考えられる場合である。
【００１９】
これにより、画像データ出力装置において、装置内に記憶した画像データを、機密性を保持しつつ、より容易な制御方法で、再度出力させることができる。
【００２０】
請求項２に記載の本発明にかかる画像データ出力装置は、請求項１に記載の画像データ出力装置の構成に加えて、前記暗証コードは、操作者が設定できることを特徴とする。
【００２１】
請求項２に記載の発明によると、請求項１に記載の発明による作用に加えて、暗証コードが操作者の認識しやすいものとできるため、操作者が暗証コードを忘れてしまうことを極力回避できる。また、暗証コードが、機械的に与えられるものではないため、第三者が適当なコードを入力することにより偶然に当該暗証コードを入力してしまう事態を、極力回避できる。これにより、画像データ出力装置において、画像データの機密性をより向上できる。
【００２５】
請求項３に記載の本発明にかかる画像データの出力方法は、メモリに記憶された画像データの出力方法であって、前記メモリに記憶された或る画像データを出力させた後に、当該或る画像データを再度出力させる旨の命令である再出力命令を受信した場合、前記或る画像データを出力させてから継続して操作者の有ることが検出されているときは、前記再出力命令の受信に応じて、前記或る画像データを再度出力させ、前記或る画像データを出力させてから操作者の無いことが検出されたときは、前記或る画像データに対応する暗証コードが入力されたことを条件として、前記或る画像データを再度出力させることを特徴とする。
【００２６】
請求項３に記載の発明によると、或る画像データの出力後、継続して操作者が検知されていれば、暗証コードを入力することなく、当該画像データを再出力させることができる。なお、当該画像データの出力後一度でも操作者が無いことが検出されている場合には、当該画像データの再出力には、暗証コードの入力が必要となる。つまり、基本的には、画像データの再出力には暗証コードの入力が必要とされる一方で、画像データの機密性を保持できると考えられる場合には、操作者は、再出力に際して暗証コードの入力という煩雑な作業を要求されない。
【００２７】
これにより、画像データ出力装置において、装置内に記憶した画像データを、機密性を保持しつつ、より容易な制御方法で、再度出力させることができる。
【００２８】
請求項４に記載の本発明にかかる画像データの出力方法は、請求項３に記載の画像データの出力方法の構成に加えて、前記暗証コードは、操作者によって設定されることを特徴とする。
【００２９】
請求項４に記載の発明によると、請求項３に記載の発明による作用に加えて、暗証コードが操作者の認識しやすいものとできるため、操作者が暗証コードを忘れてしまうことを極力回避できる。また、暗証コードが、機械的に与えられるものではないため、第三者が適当なコードを入力することにより偶然に当該暗証コードを入力してしまう事態を、極力回避できる。これにより、画像データの機密性をより向上できる。
【００３０】
【発明の実施の形態】
［第１の実施の形態］
図１は、本発明の画像形成装置の一例である複写機１の全体の構成を示す断面図である。
【００３１】
図１を参照して、複写機１は、原稿を読取って画像信号に変換する走査系１０と、走査系１０から送られる画像信号を処理する画像信号処理部２０と、画像信号処理部２０から入力される画像データの記憶等を行なう画像メモリ部３０と、画像メモリ部３０から入力される画像データに基づいて半導体レーザ６１，６２を駆動する印字処理部４０と、半導体レーザ６１，６２からの２本のレーザ光を合成して感光体ドラム７１上の所定の露光位置に導く光学系６０と、露光により形成された潜像を現像し用紙上に転写かつ定着して画像を形成する作像系７０とを含む。また、複写機１は、さらに、本体の上面に設けられた操作パネル１０１（複写機１上面（紙面に垂直方向）に設置されている）と、本体側面に設けられた人体検知センサ５０と、原稿を搬送し必要に応じて表裏の反転を行なう原稿搬送部５００と、用紙を再度転写位置に供給するための再給紙部６００とを含む。
【００３２】
なお、走査系１０および画像信号処理部２０などによって読取装置ＩＲが構成され、印字処理部４０、光学系６０および作像系７０などによってプリンタ装置ＰＲＴが構成されている。
【００３３】
走査系１０は原稿台ガラス１８の下方を移動するスキャナ１９に組付けられた露光ランプ１１および第１ミラー１２と、固定ミラー１３ａ，１３ｂと、集光用のレンズ１４と、ＣＣＤアレイなどを用いた光電変換素子１６と、スキャンモータＭ２などから構成されている。
【００３４】
光電変換素子１６は、原稿内の黒色を主とした非特定色の画像と、特定色（赤色）の画像とをそれぞれ個別に電気信号に変換する。
【００３５】
画像信号処理部２０は、光電変換素子１６から出力される画像信号を処理し、画像メモリ部３０に対して画像データを出力する。
【００３６】
印字処理部４０は送られてきた画像データに応じてそれらを半導体レーザ６１，６２に与える。光学系６０は、半導体レーザ６１，６２と、半導体レーザ６１，６２の２つのレーザ光を合成するダイクロミックミラー６３と、合成レーザビームを偏向するポリゴンミラー６５と、ポリゴンミラー６５を回転するモータ６４と、主レンズ６９と、反射ミラー６７ａ，６７ｂ，６７ｃなどから構成されている。
【００３７】
作像系７０は、現像転写系７０Ａ、搬送系７０Ｂおよび定着系７０Ｃから構成されている。
【００３８】
現像転写系７０Ａは、図１の反時計方向に回転駆動される感光体ドラム７１およびその周囲に回転方向の上流側から順に配置された第１帯電チャージャ７２ａ、第１現像器７３ａ、第２帯電チャージャ７２ｂ、第２現像器７３ｂ、転写チャージャ７４、分離チャージャ７５、クリーニング部７６などからなる。第１現像器７３ａには、トナーとキャリアからなる２成分現像剤が収納されている。
【００３９】
搬送系７０Ｂは、用紙を収納するカセット８０ａ，８０ｂ、用紙サイズを検出するサイズ検出センサＳＥ１１，ＳＥ１２、用紙ガイド８１、タイミングローラ８２、搬送ベルト８３および再給紙部６００から搬入された用紙を搬送する水平搬送ローラ８６ａ〜８６ｃなどからなる。
【００４０】
定着系７０Ｃは、用紙上のトナー像を熱と圧力により定着しながら搬送する定着ローラ８４、排出ローラ８５および用紙の排出を検出する排出センサＳＥ６２などからなる。
【００４１】
再給紙部６００は、排出ローラ８５から排出された用紙を一旦収納して両面モードのときには表裏を反転して、合成モードのときには表裏反転を行なわずに、再度の画像形成（プリント）のために搬送系７０Ｂの水平搬送ローラ８６ａに搬入する循環式のものである。再給紙部６００は、排紙トレイ６２１への排出と再給紙とを切換えるための切換爪６０１、搬送ローラ６０２、反転ローラ６０３および反転センサＳＥ６１などから構成されている。
【００４２】
両面モードにおいては、図示しないソレノイドによって切換爪６０１の左端部が上方に移動する。これによって排出ローラ８５から排出された用紙が搬送ローラ６０２の方に誘導され、搬送ローラ６０２を通って反転ローラ６０３に達する。
【００４３】
用紙の後端が反転センサＳＥ６１に達すると、反転ローラ６０３が反転し、これによって用紙が水平搬送ローラ８６ａの方へと搬送され、水平搬送ローラ８６ｂ，８６ｃ、中間ローラ８７を通ってタイミングローラ８２まで達して待機する。
【００４４】
このとき、次の用紙も順次所定の間隔で搬送されてきており、片面にプリントされた用紙が、搬送ローラ６０２，６０３および水平搬送ローラ８６ａ〜８６ｃを含む複写経路に待機できる枚数は、画像データの遅延がないとした場合には、用紙と複写経路の長さに依存することになるが、本実施形態においては、待機できる原稿の枚数は最大３枚とする。なお、中間ローラ８７の手前には、給紙されてきた用紙の先端を検出するセンサＳＥ８８が配置されている。
【００４５】
原稿搬送部５００は、原稿給紙トレイ５１０上にセットされた原稿を自動的に原稿ガラス１８上に搬送し、スキャナ１９によって原稿の表面（下面）を読取ったあとには原稿排出部５１１へ排出する。
【００４６】
読取装置ＩＲで読取られたデータは、画像メモリ部３０に入力され記憶される。
【００４７】
画像メモリ部３０は、コネクタ９０ａを介して、通信回線９０ｂに接続されている。これにより、複写機１は、通信回線９０ｂを介して、他の装置と、データの送受信が可能となる。つまり、複写機１は、他の装置から送信された画像データに基づいて画像を形成でき、かつ、スキャナ１９で読取り画像メモリ部３０に記憶された画像データを他の装置に送信することができる。
【００４８】
なお、複写機１において、スキャナ１９が矢印ｂ方向に移動するときには、矢印ｄ方向に移動するときよりも高速に移動する。このスキャナ１９がｂ方向に移動するときの光電変換素子１６による画像の走査を予備走査といい、このとき光電変換素子１６から出力される画像データに基づいて、原稿台上の原稿の大きさ、原稿の位置が検出される。一方、スキャナ１９が矢印ｄ方向に移動するときの光電変換素子１６による画像の走査が本走査であり、このとき光電変換素子１６から出力される画像データに基づいて原稿の画像データの読取りが行なわれる。
【００４９】
人体検知センサ５０は、複写機１付近の物体（すなわち、操作者）を検知するためのセンサである。人体検知センサ５０は、たとえば、特開平７−２２１９４９号公報等に記載されるような周知の、発光素子と受光素子を組合せた反射型フォトセンサにより、構成することができる。
【００５０】
図２は、図１の複写機１に備えられる操作パネル１０１を示す図である。操作パネル１０１は、各種の画面やメッセージが表示されＬＣＤから構成されるタッチパネル１０２と、プリント枚数やプリント倍率等の数値を入力するためのテンキー１０３と、テンキー１０３により入力されたプリント枚数を“１”に戻したり入力されたプリント倍率をクリアするクリアキー１０４と、プリント動作を開始させるプリントキー１０５と、連続プリント動作を停止させるストップキー１０６と、押圧することにより設定した複写条件をすべて解除し初期状態に戻すパネルリセットキー１０７とを備えている。
【００５１】
また、タッチパネル１０２には、応用キー１０２ａと、原稿→コピーキー１０２ｂと、基本キー１０２ｃと、仕上げキー１０２ｄと、倍率キー１０２ｅと、用紙キー１０２ｆとが表示されている。応用キー１０２ａは、多数枚の原稿をコピーするときに、表紙だけ、カラーぺーパ等の別のコピー用紙を使ってコピーする場合等に押圧されるキーである。原稿→コピーキー１０２ｂは、原稿の種類ととりたいコピーの種類の組合せを設定する際に、押圧されるキーである。基本キー１０２ｃは、コピー用紙、コピー倍率、コピー濃度といった、コピーをする上での基本的な条件を設定する際に押圧されるキーである。仕上げキー１０２ｄは、コピーの仕分けの種類を設定するためのキーである。倍率キー１０２ｅは、コピー倍率を設定するためのキーであり、用紙キー１０２ｆは、コピー用紙として使用する用紙を設定するためのキーである。
【００５２】
また、タッチパネル１０２には、さらに、メッセージ表示部１０８が表示されている。メッセージ表示部１０８には、現在の複写機１の状態等を示すメッセージや、コピー枚数等のコピー条件が表示される。
【００５３】
図３は、複写機１の印字処理部４０の構成を示すブロック図である。
印字処理部４０は、操作パネル部１１０と、全体制御部１２０と、読取部１３０と、プリント部１４０と、通信コントローラ部１５０とから構成され、各々のブロックが通信ドライバ１１１，１２１，１３１，１４１や通信ケーブルＣ１を介してシリアル通信を行ない、コマンドやステータスのやり取りを行なうように接続されている。各ブロックには、ＣＰＵ１１２，１２２，１３２，１４２が設けられ、また、それぞれのプログラムを格納したＲＯＭ１１３，１２３，１３３，１４３、およびプログラムの実行のワークエリアとなるＲＡＭ１１４，１２５，１３４，１４４が設けられている。全体制御部１２０には、メインルーチンの１ルーチンの時間を計時するタイマ１２４が設けられている。
【００５４】
操作パネル部１１０は、操作パネル１０１および人体検知センサ５０の制御を行なうブロックであり、操作パネル１０１上の各種操作キーもしくはタッチパネル１０２から入力された内容を読取り、設定の結果や複写機１の動作状態をＬＥＤもしくはＬＣＤに表示し、人体検知センサ５０が物体（操作者）を検知しているか否かを読取る。ここで、ユーザによって入力されたキーもしくはタッチパネルの情報は、画像形成条件として通信ケーブルＣ１を通じて全体制御部１２０に送信される。また、人体検知センサ５０の検知内容は、操作者の有無の判断条件として、通信ケーブルＣ１を通じて全体制御部１２０に送信される。
【００５５】
読取部１３０は、前述の走査系１０や原稿搬送部５００の制御を行なう。原稿の給紙搬送状態や原稿搬送部５００に原稿がセットされているかを入出力回路（Ｉ／Ｏ）１３５を通じて検出したり、原稿駆動の回路、原稿スキャンのためのミラーの駆動回路を入出力回路１３６を通じて制御する。また、光電変換素子（ＣＣＤ）１６で読取った画像データは、入力信号処理部１３７を介して、画像メモリ部３０に送信される。
【００５６】
プリント部１４０では、前述したプリンタ装置ＰＲＴの制御を行なう。用紙の大きさや搬送状態を入出力回路１４５を通じて検出したり、用紙の駆動回路を１４６を通じて制御する。また、印字処理部１４７に送信されたデータに従って半導体レーザ（ＬＤ）６１，６２を駆動する。このように、プリント部１４０にプリンタ装置ＰＲＴが制御され、複写機１における給紙、現像、転写、定着というプロセスを行なわれ、所望の用紙上に画像を形成する。
【００５７】
全体制御部１２０は、複写機１の装置全体の制御を行なうとともに、読取装置ＩＲによって読込まれた画像を管理し、また、複写機１に接続される送信手段（ＬＡＮ１〜３上の装置）から通信コントローラ部１５０を経由して送信された画像データの管理を行なう。全体制御部１２０には、読取装置ＩＲで読込んだ数百枚から数千枚分の規模の原稿の画像を格納する画像メモリ部３０が設けられている。読取部１３０の入力信号処理部１３７からバスＤ１を通じて送信された画像データ、または、通信コントローラ部１５０から送信された画像データは、画像メモリ部３０に記憶される。
【００５８】
また、全体制御部１２０は、プリントモードメモリ１２６と、暗証番号メモリ１２７とをさらに備えている。プリントモードメモリ１２６は、各画像データが、初めて、画像としてまたは画像データのままで複写機１外に出力された際のプリントモードを、当該画像データに対応して記憶するものである。また、暗証番号メモリ１２７は、各画像データに対応して設定される暗証番号を記憶するものである。後述するように、複写機１は、各画像データが、画像として、または、そのまま他の装置に、出力された後、所定時間経過すると、当該画像データに対応した暗証番号を入力することを条件として、当該画像データを再度出力させることができる。なお、本明細書では、複写機１が、このように、一度出力した画像データを再度出力させることができる機能を、「メモリリコール」という。
【００５９】
なお、図３に示すように、複写機１は、３つのＬＡＮ（ＬＡＮ１〜３）に、通信コントローラ部１５０を介して接続されており、ＬＡＮ１〜３上の各パーソナルコンピュータから送信される画像データに従って、画像形成（プリント）が可能である。
【００６０】
複写機１では、読取装置ＩＲで読取った画像データおよび通信コントローラ部１５０から送信された画像データを画像メモリ部３０に蓄積できるため、同一画像についての複数枚のプリントをする場合にも、画像メモリ部３０から複数回データを送信することにより、１回のデータの読込みで、複数枚のプリントが可能な構成になっている。また、画像メモリ部３０が多くの原稿の画像データをまとめて記憶できるだけの容量を持っているため、読込んだ画像の順番を交換しつつ、プリントすることができる。プリント動作の手順は、全体制御部１２０のＲＡＭ１２５内のテーブルに記憶しており、読取装置ＩＲで読取った画像データおよび通信コントローラ部１５０から送信された画像データをプリントする場合には、ＲＡＭ１２５内に記憶されたテーブルを参照して制御を行なう。
【００６１】
なお、全体制御部１２０は、操作パネル部１１０、読取部１３０、プリント部１４０にコマンドを送り、全体の読取動作およびプリント動作を行なうが、ここでの処理は、従来のデジタル複写機における制御と同様であるため説明を省略する。
【００６２】
複写機１では、状態に応じて、タッチパネル１０２の表示態様が変化する。ここで、図４〜図６に、タッチパネル１０２の表示例を示す。また、図７および図８は、全体制御部１２０のＣＰＵ１２２の制御内容を示す図である。ここで、図４〜図６を参考にしながら、ＣＰＵ１２２の制御内容を説明する。
【００６３】
図７は、ＣＰＵ１２２が実行するメインルーチンのフローチャートである。
まず、ＣＰＵ１２２は、複写機１に電源が投入されると、ステップＳ１（以下、ステップを省略する）で、各メモリのリセット等の初期設定を行ない、Ｓ２に進む。そして、ＣＰＵ１２２は、Ｓ２で、タイマ１２４をスタートさせて、Ｓ３に進む。
【００６４】
そして、ＣＰＵ１２２は、Ｓ３で、操作パネル１０１への入力情報に基づいて、画像データの読込み等のための画像形成制御処理を実行し、Ｓ４に進む。
【００６５】
そして、ＣＰＵ１２２は、Ｓ４で、メモリリコール制御処理を実行し、Ｓ５に進む。メモリリコール制御処理とは、上述したメモリリコール機能を使用する処理である。このメモリリコール制御処理の内容については、図８を参照して、後述する。
【００６６】
そして、ＣＰＵ１２２は、Ｓ５で、内部タイマが１ルーチンに相当する時間の計時を終了したか否かを判断し、終了した判断すると、Ｓ２に戻る。
【００６７】
次に、図８を参照して、Ｓ４のメモリリコール制御処理の内容を説明する。図８は、メモリリコール制御処理のサブルーチンのフローチャートである。
【００６８】
まず、ＣＰＵ１２２は、Ｓ４１１で、複写機１において、プリントキー１０５が押圧され、プリント動作（画像形成動作）が開始されているか否かを判断する。開始されたと判断すると、Ｓ４１２に進み、図４に示すように、現在プリント動作を行なっている画像データに対応した暗証番号をメッセージ表示部１０８に表示させて、Ｓ４１３に進む。なお、プリント動作では、まず、相当する画像データが、画像メモリ部３０から、全体制御部１２０（図３参照）に備えられたパケットメモリ（図示略）に圧縮記憶される。そして、当該パケットメモリに格納された画像データは、操作パネル１０１で指定されたモードにより、順次読出され、全体制御部１２０に備えられたページメモリ（図示略）に伸長描画される。そして、伸長描画された画像データは、プリント部１４０（図３参照）の印字処理部１４７に送られ、画像として出力される。
【００６９】
Ｓ４１３では、ＣＰＵ１２２は、Ｓ４１２で暗証番号を表示させてから、予め定められた特定時間が経過したか否かを判断し、経過したと判断すると、Ｓ４１４に進む。Ｓ４１４では、メッセージ表示部１０８における暗証番号の表示を消去して、Ｓ４１５に進む。つまり、Ｓ４１３における特定時間とは、暗証番号を表示させる時間であり、たとえば、数分程度とされる。
【００７０】
Ｓ４１５では、ＣＰＵ１２２は、プリント動作が終了したか否かを判断する。そして、終了したと判断すると、Ｓ４１６に進み、図５に示すように、タッチパネル１０２に、メモリリコールキー１０２ｇをさらに表示させて、Ｓ４１７に進む。
【００７１】
Ｓ４１７では、ＣＰＵ１２２は、メモリリコールキー１０２ｇが押圧されたか否かを判断する。押圧されたと判断すると、Ｓ４１８に進む。メモリリコールキー１０２ｇは、既に出力した画像データを再度出力させようとする際に、操作者が押圧するキーである。なお、メモリリコールキー１０２ｇを押圧する際、操作者は、どの画像データを再度出力させるかを選択する操作を行なう。
【００７２】
Ｓ４１８では、ＣＰＵ１２２は、メモリリコールキー１０２ｇの押圧に基づいて再度出力させる画像データが最初に出力されたときから、予め定められた所定時間が経過しているか否かを判断する。未だ、当該所定時間が経過していないと判断すると、Ｓ４２１に進み、経過したと判断すると、Ｓ４１９に進む。
【００７３】
Ｓ４２１では、ＣＰＵ１２２は、プリントキー１０５が押圧されたか否かを判断する。プリントキー１０５が押圧されたと判断すると、Ｓ４２２で、画像メモリ部３０から、当該画像データを読み出す処理を行ない、リターンする。
【００７４】
一方、Ｓ４１９では、図６に示すように、メッセージ表示部１０８に、「暗証番号を入力して下さい」、というように、操作者に暗証番号の入力を促すメッセージを表示させて、Ｓ４２０に進む。なお、図６では、メモリリコールキー１０２ｇは、反転表示されている。
【００７５】
Ｓ４２０では、ＣＰＵ１２２は、入力された暗証番号が正しいか否かを判断する。正しいと判断すると、Ｓ４２１に進み、誤っていると判断すると、Ｓ４１９に戻る。
【００７６】
以上説明したメモリリコール制御処理では、再度出力しようとする画像データの一度目のプリント動作が開始されてから所定時間が経過するまでに、メモリリコールキー１０２ｇが押圧されると、そのまま、当該画像データが再度出力される。一方、上記の所定時間が経過した後にメモリリコールキー１０２ｇが押圧された場合には、当該画像データに対応する暗証番号が入力されたことを条件として、当該画像データが再度出力される。
【００７７】
なお、ここでいう出力はプリント動作に限定されず、他の装置に画像データを送信することも含まれる。最初にプリント動作を行なった画像データを、他の装置に送信することにより再度出力させる場合には、Ｓ４２１における処理は、他の装置に画像データを送信する旨の操作が行なわれたか否かを判断する処理に置換される。また、最初に、他の装置に送信された画像データを、プリント動作によって再度出力させる場合には、Ｓ４１１の処理は、送信動作が開始されているか否かを判断する処理に置換される。
【００７８】
以上説明した本実施の形態では、ＣＰＵ１２２により制御手段が構成されている。そして、画像データに基づいて画像を出力するプリンタ部により出力手段が構成されている。なお、画像データを、そのまま、通信回線９０ｂを介して他の装置に出力する、送信手段（ＬＡＮ１〜３上の装置）および通信コントローラ部１５０によっても、出力手段が構成されていることになる。
【００７９】
また、本実施の形態では、記憶された画像データを再度出力させる際に暗証番号を入力するが、入力させるものは、暗証番号に限定されない。文字等を含む暗証コードであってもよい。
【００８０】
なお、本実施の形態では、暗証番号は、複写機１側から指定されるが、これに限らず、操作者が、決定できるようにしてもよい。この場合、Ｓ４１２の処理は、暗証番号の入力を促し、かつ、当該入力された暗証番号を表示するような処理に置換される。
【００８１】
［第２の実施の形態］
次に、本発明の第２の実施の形態について説明する。なお、本実施の形態は、第１の実施の形態から、メモリリコール制御処理の処理内容のみを変更しているため、ここでは、その変更点のみを説明する。
【００８２】
図９に、本実施の形態のメモリリコール制御処理のサブルーチンのフローチャートを示す。
【００８３】
図９を参照して、ＣＰＵ１２２は、まず、Ｓ４３１で、プリント動作が開始された否かを判断し、開始されたと判断すると、Ｓ４３２に進む。Ｓ４３２では、ＣＰＵ１２２は、メッセージ表示部１０８に現在プリント動作を行なっている画像データに対応する暗証番号を表示させて、Ｓ４３３に進む。Ｓ４３３では、Ｓ４３１のプリント動作が開始されてから特定時間が経過したか否かを判断する。この特定時間とは、Ｓ４１３（図８参照）において説明した特定時間と同様の物とすることができる。そして、特定時間が経過したと判断すると、Ｓ４３４に進み、Ｓ４３２で行なった暗証番号の表示を消去して、Ｓ４３５に進む。
【００８４】
Ｓ４３５では、ＣＰＵ１２２は、Ｓ４３１で開始したと判断したプリント動作が終了したか否かを判断し、終了したと判断すると、Ｓ４３６に進む。
【００８５】
Ｓ４３６では、ＣＰＵ１２２は、タッチパネル１０２に、図５に示すように、メモリリコールキー１０２ｇを表示させ、さらに、人体検知センサ５０による操作者の有無の検知を開始して、Ｓ４３７に進む。
【００８６】
Ｓ４３７では、ＣＰＵ１２２は、メモリリコールキー１０２ｇが押圧されたか否かを判断する。押圧されたとＳ４３８に進み、押圧されていないと判断すると、一旦、リターンする。
【００８７】
Ｓ４３８では、ＣＰＵ１２２は、Ｓ４３６で開始した操作者の有無の検知において、一度でも操作者がいなかったことを検知したか否かを判断する。一度でも操作者がいなかったことを検知したと判断した場合には、Ｓ４３９に進む。一方、操作者がいなかったことを検知したことが無いと判断した場合、つまり、常に、操作者がいたことを検知していたと判断した場合には、Ｓ４４１に進む。
【００８８】
Ｓ４３９では、ＣＰＵ１２２は、図６に示すように、メッセージ表示部１０８において暗証番号の入力を促すメッセージを表示させる処理を行ない、Ｓ４４０に進む。Ｓ４４０では、入力された暗証番号が正しいか否かを判断し、正しいと判断すると、Ｓ４４１に進む。一方、入力された暗証番号が誤っていると判断すると、Ｓ４３９に戻る。
【００８９】
Ｓ４４１では、プリントキー１０５が押圧されたか否かを判断する。押圧されたと判断すると、Ｓ４４２に進み、画像メモリ部３０から、当該画像データを読み出す処理を行ない、リターンする。
【００９０】
以上説明した本実施の形態のメモリリコール制御処理では、再度出力しようとする画像データの一度目のプリント動作が開始されてから継続して操作者が複写機１の操作を行なっている間に、メモリリコールキー１０２ｇが押圧されると、そのまま、当該画像データが再度出力される。一方、上記の一度目のプリント動作が開始されてから、操作者が一度でも複写機１の付近を離れ、継続して操作が行なわれていなかったと判断された場合には、当該画像データに対応する暗証番号が入力されたことを条件として、当該画像データが再度出力される。
【００９１】
なお、ここでいう出力はプリント動作に限定されず、他の装置に画像データを送信することも含まれる。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の一実施の形態である複写機の断面を模式的に示す図である。
【図２】  図１に示す複写機の操作パネルの平面図である。
【図３】  図１に示す複写機の印字処理部の構成を示すブロック図である。
【図４】  図２に示す操作パネルの表示例を示す図である。
【図５】  図２に示す操作パネルの表示例を示す図である。
【図６】  図２に示す操作パネルの表示例を示す図である。
【図７】  図３の全体制御部のＣＰＵが実行するメインルーチンのフローチャートである。
【図８】  図７のメモリリコール制御処理のサブルーチンのフローチャートである。
【図９】  図７のメモリリコール制御処理の変形例のサブルーチンのフローチャートである。
【符号の説明】
１  複写機、５０  人体検知センサ、１０１  操作パネル、１０２  タッチパネル、１０２ｇ  メモリリコールキー、１０５  プリントキー、１０８  メッセージ表示部、１２０  全体制御部、１２２  ＣＰＵ、１２４  タイマ、１４７  印字処理部。
【図１】
0004114288.tif 000002
【図２】
0004114288.tif 000003
【図３】
0004114288.tif 000004
【図４】
0004114288.tif 000005
【図５】
0004114288.tif 000006
【図６】
0004114288.tif 000007
【図７】
0004114288.tif 000008
【図８】
0004114288.tif 000009
【図９】
0004114288.tif 000010